(57)【要約】【課題】  クロストークの発生を避けた立体映像を表示すること。【解決手段】  動画像データから第１の左目用画像データと第１の右目用画像データとを生成する生成手段と、第１の左目用画像データの画素数を縮小することによって、垂直方向のピクセル数がディスプレイの垂直ラインのピクセル数より小さい第２の左目用画像データを生成する第１の縮小手段と、第１の右目用画像データの画素数を縮小することによって、垂直方向のピクセル数がディスプレイの垂直ラインのピクセル数より小さい第２の右目用画像データを生成する第２の縮小手段と、第２の左目用画像データに基づいた左目用画像フレームデータと、第２の右目用画像データに基づいた右目用画像フレームデータとを交互に出力する出力手段とを具備する。【選択図】    図３
2015039076.tif 000002
【特許請求の範囲】
【請求項１】
ディスプレイに出力するための左目用画像フレームデータおよび右目用画像フレームデータを生成する立体映像データ出力装置であって、
前記ディスプレイのフレームレートの１／２のフレームレートを有する動画像データから第１の左目用画像データと第１の右目用画像データとを生成する生成手段と、
前記第１の左目用画像データの画素数を縮小することによって、垂直方向のピクセル数が前記ディスプレイの垂直ラインのピクセル数より小さい第２の左目用画像データを生成する第１の縮小手段と、
前記第１の右目用画像データの画素数を縮小することによって、垂直方向のピクセル数が前記ディスプレイの垂直ラインのピクセル数より小さい第２の右目用画像データを生成する第２の縮小手段と、
前記第２の左目用画像データに基づいた左目用画像フレームデータと、前記第２の右目用画像データに基づいた右目用画像フレームデータとを交互に出力する出力手段と
を具備する立体映像データ出力装置。
【請求項２】
枠データに前記第２の左目用画像データを重ねた第３の左目用画像データを生成する第１の枠付加手段と、
前記枠データに前記第２の右目用画像データを重ねた第３の右目用画像データを生成する第２の枠付加手段とを更に具備し、
前記出力手段は、前記第３の左目用画像データに基づいた左目用画像フレームデータを出力し、
前記出力手段は、前記第３の右目用画像データに基づいた前記右目用画像フレームデータを出力する、
請求項１に記載の立体映像データ出力装置。
【請求項３】
前記第１の縮小手段は、前記第１の左目用画像データのアスペクト比と前記第２の左目用画像データのアスペクト比とが同じになるように前記第２の左目用画像データの画素数を縮小し、
前記第２の縮小手段は、前記第１の右目用画像データのアスペクト比と前記第２の右目用画像データのアスペクト比とが同じになるように前記第２の右目用画像データの画素数を縮小する
請求項１に記載の立体映像データ出力装置。
【請求項４】
前記ディスプレイの垂直ラインのピクセル数がＶp、前記ディスプレイの１フレームの期間がｔF、前記ディスプレイに設けられたライトの点灯期間がｔL、前記ディスプレイに、前記左目用画像フレームデータ内の前記第２の左目用画像データの垂直方向の一番下の画像データを含むデータが前記ディスプレイに入力されてから前記ライトが点灯するまでの時間および前記右目用画像フレームデータ内の前記第２の右目用画像データの垂直方向の一番下の画像データを含むデータが前記ディスプレイに入力されてから前記ライトが点灯するまでの時間がｔdの場合、
前記第１の縮小手段は、前記第２の左目用画像データの垂直方向のピクセル数が
【数１】
2015039076.tif 000004
以下の正整数となるように前記第１の左目用画像データの画素数を縮小し、
前記第２の縮小手段は、前記第２の右目用画像データの垂直方向のピクセル数が前記ＶBL以下の正整数となるように前記第１の右目用画像データの画素数を縮小する
請求項１に記載の立体映像データ出力装置。
【請求項５】
前記第１の縮小手段は、前記第２の左目用画像データの垂直方向のピクセル数が前記ＶBL以下の正整数の内で最も大きい整数となるように前記第１の左目用画像データの画素数を縮小し、
前記第２の縮小手段は、前記第２の右目用画像データの垂直方向のピクセル数が前記ＶBL以下の正整数の内で最も大きい整数となるように前記第１の右目用画像データの画素数を縮小する、
請求項４に記載の立体映像データ出力装置。
【請求項６】
前記ライトの点灯時間の変更を指示し、前記指示した点灯時間に基づいて新たなＶBLを算出し、前記新たなＶBLに基づいたピクセル数を前記第１の縮小手段に指示および前記第２の縮小手段に指示する制御手段を更に具備し、
前記第１の縮小手段は、前記第２の左目用画像データの垂直方向のピクセル数が前記制御手段から指示されたピクセル数となるように前記第１の左目用画像データの画素数を縮小し、
前記第２の縮小手段は、前記第２の右目用画像データの垂直方向のピクセル数が前記制御手段から指示されたピクセル数となるように前記第１の右目用画像データの画素数を縮小する、
請求項４に記載の立体映像データ出力装置。
【請求項７】
前記第１の左目用画像データと前記第１の右目用画像データとの交互の出力と、
前記左目用画像フレームデータと前記右目用画像フレームデータとの交互の出力とを切り替える切り替え手段を更に具備する請求項１に記載の立体映像データ出力装置。
【請求項８】
左目用画像フレームデータおよび右目用画像フレームデータを生成する立体映像データ出力装置であって、
入力された動画像データから第１の左目用画像データと第１の右目用画像データとを生成する生成手段と、
前記第１の左目用画像データの画素数を縮小することによって第２の左目用画像データを生成する第１の縮小手段と、
前記第１の右目用画像データの画素数を縮小することによって第２の右目用画像データを生成する第２の縮小手段と、
前記第２の左目用画像データに基づいた左目用画像フレームデータと、前記第２の右目用画像データに基づいた右目用画像フレームデータとを出力する出力手段と
を具備する立体映像データ出力装置。
【請求項９】
ディスプレイに出力するための前記左目用画像フレームデータおよび前記右目用画像フレームデータを生成する立体映像データ出力方法であって、
コンテンツから第１の左目用画像データと第１の右目用画像データとを生成し、
前記第１の左目用画像データの画素数を縮小することによって、垂直方向のピクセル数が前記ディスプレイの垂直ラインのピクセル数より小さい第２の左目用画像データを生成し、
前記第１の右目用画像データの画素数を縮小することによって、垂直方向のピクセル数が前記ディスプレイの垂直ラインのピクセル数より小さい第２の右目用画像データを生成し、
前記第２の左目用画像データに基づいた左目用画像フレームデータと、前記第２の右目用画像データに基づいた右目用画像フレームデータとを交互に出力する
立体映像データ出力方法。
【発明の詳細な説明】
【技術分野】
【０００１】
本発明の実施形態は、立体映像を表示するための立体映像データ出力装置および立体映像データ出力方法に関する。
【背景技術】
【０００２】
液晶シャッターを用いたフレーム・シーケンシャル方式で液晶ディスプレイに立体映像を表示する場合、クロストークの発生を避けるために、動画像データのフレームレートの４倍のフレームレートを有する液晶ディスプレイを用いている。
【０００３】
例えば、４倍のフレームレートを有する液晶ディスプレイは高価であり、クロストークの発生を避けつつ、動画像のフレームレートの２倍のフレームレートを有する安価な液晶ディスプレイを用いて立体映像を表示することが望まれている。
【先行技術文献】
【特許文献】
【０００４】
【特許文献１】特開２０１０−６１１０５号公報
【発明の概要】
【発明が解決しようとする課題】
【０００５】
上述したように、クロストークの発生を避けつつ、動画像データのフレームレートの安価な２倍のフレームレートを有する液晶ディスプレイを用いて立体映像を表示することが望まれている。
【０００６】
本発明の目的は、クロストークの発生を避けた立体映像を表示することが可能な立体映像データ出力装置および立体映像データ出力方法を提供することにある。
【課題を解決するための手段】
【０００７】
実施形態によれば、ディスプレイに出力するための左目用画像フレームデータおよび右目用画像フレームデータを生成する立体映像データ出力装置は、生成手段と、第１の縮小手段と、第２の縮小手段と、出力手段とを具備する。生成手段は、前記ディスプレイのフレームレートの１／２のフレームレートを有する動画像データから第１の左目用画像データと第１の右目用画像データとを生成する。第１の縮小手段は、前記第１の左目用画像データの画素数を縮小することによって、垂直方向のピクセル数が前記ディスプレイの垂直ラインのピクセル数より小さい第２の左目用画像データを生成する。第２の縮小手段は、前記第１の右目用画像データの画素数を縮小することによって、垂直方向のピクセル数が前記ディスプレイの垂直ラインのピクセル数より小さい第２の右目用画像データを生成する。出力手段は、前記第２の左目用画像データに基づいた左目用画像フレームデータと、前記第２の右目用画像データに基づいた右目用画像フレームデータとを時分割に出力する。
【図面の簡単な説明】
【０００８】
【図１】実施形態の立体映像データ出力装置の外観を示す図。
【図２】実施形態の立体映像データ出力装置のシステム構成を示すブロック図。
【図３】図２に示す３Ｄ処理モジュールとビデオ出力回路との関係を示すブロック図。
【図４】図３に示す分割モジュール、左目用画像データ縮小モジュール、右目用画像データ縮小モジュール、枠付加モジュール、および枠付加モジュールの機能を説明するための図。
【図５】図２に示す液晶ディスプレイに表示される画像の例を示す図。
【図６】図３に示す３Ｄ処理モジュール、ビデオ出力回路、制御信号送信部、および液晶ディスプレイによって行われる処理の手順を示すフローチャート。
【図７】線順次方式で液晶ディスプレイの画面の上部から下部まで順番に書き替えていく様子とバックライトのオン／オフのタイミングとを示す図。
【図８】立体映像を表示するための映像が表示される範囲を示す図。
【図９】立体映像を表示するための映像が表示される範囲の算出を説明するための図。
【発明を実施するための形態】
【０００９】
以下、実施の形態について図面を参照して説明する。
【００１０】
図１には、実施形態に係る立体映像データ出力装置および３Ｄ眼鏡の外観が示されている。このおよび立体映像データ出力装置は、例えば、液晶ディスプレイを有するテレビジョン装置１０として実現されている。テレビジョン装置１０は、液晶シャッターを用いたフレーム・シーケンシャル方式で立体映像を表示する。
【００１１】
テレビジョン装置１０は、左眼用の画像（Ｌ）と右眼用の画像（Ｒ）がフレーム毎に交互に表示する。なお、左眼用の画像（Ｌ）の信号と右眼用の画像（Ｒ）の信号は、外部から送られて来るものであっても、また、テレビジョン装置の内部で２Ｄ表示用映像信号から擬似的に生成されるものであってもよい。
【００１２】
テレビジョン装置１０からは、現在表示されている画像が、右目用画像と左目用画像のどちらであるかを示す制御信号が出力される。制御信号の搬送媒体は、有線、電波あるいは赤外線のいずれであってもよい。シャッターメガネ２０は、受信機２１を有し、この受信機２１は制御信号を受信し、左と右の液晶眼鏡のシャッター動作を制御し表示された左右画像に同期させる。これにより視聴者は、右眼用の画像を右眼で左眼用の画像を左眼で観察し、立体映像を知覚することができる。
【００１３】
図２は、実施形態が適用された装置の一例でありテレビジョン装置１０のシステム構成を示すブロック図である。
【００１４】
デジタルテレビジョン放送受信用のアンテナ２２２で受信したデジタルテレビジョン放送信号は、入力端子２２３を介してチューナ２２４に供給される。このチューナ２２４は、入力されたデジタルテレビジョン放送信号から所望のチャンネルの信号を選局し復調している。チューナ２２４から出力された信号は、デコーダ２２５に供給されて、例えばＭＰＥＧ（moving picture experts group）２方式によりデコード処理が施された後、セレクタ２２６に供給される。
【００１５】
またチューナ２２４の出力は、直接セレクタ２２６に供給されている。セレクタ２２６で、映像・音声情報などが分離される。
【００１６】
また、例えばＨＤＭＩ（High Definition Multimedia Interface）を介して光ディスクあるいは磁気記録媒体再生装置などの外部機器が接続されるデジタル信号用の入力端子２３３に供給されたデジタルの映像及び音声信号は、そのままセレクタ２２６に供給される。
【００１７】
セレクタ２２６は、２種類の入力デジタル映像及び音声信号から１つのペアを選択して、信号処理器２３４に供給している。この信号処理器２３４は、入力されたデジタル映像信号からオーディオ情報、ビデオ情報を分離し、所定の信号処理を施している。信号処理としては、オーディオ情報に関しては、オーディオデコード・音質調整・ミックス処理などが任意に行われる。ビデオ情報に関しては、カラー・輝度分離処理、カラー調整処理、画質調整処理などが行われる。
【００１８】
また信号処理器２３４内には、３Ｄ処理モジュール８０も含まれる。ビデオ出力回路２３９では、３Ｄ・２Ｄの切り替えに応じて３Ｄ信号出力又は２Ｄ信号出力の切り替えが行われる。またビデオ出力回路２３９は、制御ブロック２３５からのグラフィック映像、文字・図形・記号・等の映像、ユーザインターフェース映像、番組表の映像などをメイン映像に多重する合成部も含む。
【００１９】
オーディオ情報は、オーディオ出力回路２３７でアナログ化され、音量、チャンネルバランスなどの調整を受けた後、出力端子２３８を介してスピーカ装置２６０に出力される。
【００２０】
ビデオ情報は、ビデオ出力回路２３９にて、画素の合成処理、走査線数変換など受けたのち、出力端子２４２を介して液晶ディスプレイ（ＬＣＤ）２７０へ出力される。液晶ディスプレイ（ＬＣＤ）２７０は、液晶パネル２７０Ａとバックライト２７０Ｂ等を有する。なお、液晶パネル２７０Ａの画素数は１９２０×１０８０であり、液晶ディスプレイ２７０のフレームレートは１２０Ｈｚである。
【００２１】
このテレビジョン装置１０は、各種の受信動作を含む種々の動作を制御ブロック２３５によって統括的に制御されている。この制御ブロック２３５は、ＣＰＵ（central processing unit）等を内蔵したマイクロプロセッサの集合である。制御ブロック２３５は、操作部２４７からの操作情報、または、リモートコントローラ２８０から送信された操作情報がリモコン信号受信部２４８を取得され、これにより、その操作内容が反映されるように各種ブロックをそれぞれ制御している。
【００２２】
制御ブロック２３５は、メモリ２４９を使用している。このメモリ２４９は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２３】
チューナ２２４の出力は、デコーダ２２５でデコードされベースバンド映像信号に復号され、このベースバンド映像信号は、セレクタ２２６から信号処理器２３４に入力する。これによりユーザは、所望の番組を液晶ディスプレイ２７０で見ることができる。
【００２４】
また選択された番組のストリーム（多数のパケットからなる）は、セレクタ２２６を介して制御ブロック２３５に入力される。
【００２５】
図３には、３Ｄ処理モジュール８０、ビデオ出力回路２３９の関係を取り出して示している。３Ｄ処理モジュール８０は、分割モジュール８１、左目用画像データ縮小モジュール８２Ｌ、右目用画像データ縮小モジュール８２Ｒ、枠付加モジュール８３Ｌ、枠付加モジュール８３Ｒ等を備えている。分割モジュール８１、左目用画像データ縮小モジュール８２Ｌ、右目用画像データ縮小モジュール８２Ｒ、枠付加モジュール８３Ｌ、枠付加モジュール８３Ｒの機能について図４を参照して説明する。
【００２６】
分割モジュール８１は、入力されたサイド・バイ・サイド方式の画素数が映像データに含まれる１９２０×１０８０の動画像データ３００を分割することによって、左目用画像データ３０１Ｌと右目用画像データ３０１Ｒとを生成する。分割モジュール８１は、左目用画像データ３０１Ｌの水平方向の幅を画素補間によって２倍にすることによって左目用画像データ３０２Ｌを生成する。また、分割モジュール８１は、右目用画像データ３０１Ｒの水平方向の幅を画素補間によって２倍にすることによって右目用画像データ３０２Ｒを生成する。
【００２７】
左目用画像データ縮小モジュール８２Ｌは、左目用画像データ３０２Ｌの画素数を縮小することによって、左目用縮小画像データ３０３Ｌを生成する。また、右目用画像データ縮小モジュール８２Ｒは、右目用画像データ３０２Ｒの画素数を縮小することによって、右目用縮小画像データ３０３Ｒを生成する。左目用画像データ縮小モジュール８２Ｌおよび右目用画像データ縮小モジュール８２Ｒの画像の画素数を縮小することによってクロストークの発生を抑制することが可能になる。
【００２８】
枠付加モジュール８３Ｌは、画素数が１９２０×１０８０の背景用の枠データに左目用縮小画像データ３０３Ｌを重ねた左目用ＨＤ画像データ３０４Ｌを生成する。枠付加モジュール８３Ｌは、左目用ＨＤ画像データ３０４Ｌをビデオ出力回路２３９に生成する。枠付加モジュール８３Ｒは、前述した背景用の枠データに右目用縮小画像データ３０３Ｒを重ねた右目用ＨＤ画像データ３０４Ｒを生成する。枠付加モジュール８３Ｒは、右目用ＨＤ画像データ３０４Ｒをビデオ出力回路２３９に生成する。
【００２９】
ビデオ出力回路２３９は、左目用ＨＤ画像データ３０４Ｌと右目用ＨＤ画像データ３０４Ｒとを時分割で液晶ディスプレイ２７０に出力する（図５）。また、ビデオ出力回路２３９は、左目用ＨＤ画像データ３０４Ｌと右目用ＨＤ画像データ３０４Ｒの出力に同期して、シャッターメガネの左目シャッターレンズと右目シャッターレンズとの開閉を制御する制御信号を送信するように制御信号送信部２５０に指示する。
【００３０】
図６のフローチャートを参照して、３Ｄ処理モジュール８０、ビデオ出力回路２３９、制御信号送信部２５０、および液晶ディスプレイ２７０によって行われる処理の手順を説明する。
【００３１】
フレームレートが６０Ｈｚの動画像データ３００がセレクタ２２６から分割モジュール８１に入力される（ステップ４０１）。分割モジュール８１は、動画像データ３００から第２の左目用画像データ３０２Ｌおよび第２の右目用画像データ３０２Ｒを生成する（ステップ４０２）。分割モジュール８１は、第２の左目用画像データ３０２Ｌを左目用画像データ縮小モジュール８２Ｌに出力し、第２の右目用画像データ３０２Ｒを右目用画像データ縮小モジュール８２Ｒに出力する。
【００３２】
左目用画像データ縮小モジュール８２Ｌは、第２の左目用画像データ３０２Ｌの画素数を縮小させることによって、左目用縮小画像データ３０３Ｌを生成する（ステップ４０３Ｌ）。左目用画像データ縮小モジュール８２Ｌは、左目用縮小画像データ３０３Ｌを枠付加モジュール８３Ｌに出力する。枠付加モジュール８３Ｌは、枠データの上に左目用縮小画像データ３０３Ｌを重ねた左目用ＨＤ画像データ８４Ｌを生成する（ステップ４０４Ｌ）。枠付加モジュール８３Ｌは、左目用ＨＤ画像データ８４Ｌをビデオ出力回路２３９に出力する。
【００３３】
右目用画像データ縮小モジュール８２Ｒは、第２の右目用画像データ３０２Ｒの画素数を縮小させることによって、右目用縮小画像データ３０３Ｒを生成する（ステップ４０３Ｒ）。右目用画像データ縮小モジュール８２Ｒは、右目用縮小画像データ３０３Ｒを枠付加モジュール８３Ｒに出力する。枠付加モジュール８３Ｒは、枠データの上に右目用縮小画像データ３０３Ｒを重ねた右目用ＨＤ画像データ８４Ｒを生成する（ステップ４０４Ｒ）。枠付加モジュール８３Ｒは、右目用ＨＤ画像データ８４Ｒをビデオ出力回路２３９に出力する。
【００３４】
ビデオ出力回路２３９は、左目用ＨＤ画像データ８４Ｌに基づいた左目用画像フレームデータと左目用ＨＤ画像データ８４Ｌに基づいた右目用画像フレームデータとを時分割で液晶ディスプレイ２７０に出力する（ステップ４０５）。ビデオ出力回路２３９は、左目用画像フレームデータまたは右目用画像フレームデータの出力に同期して制御信号送信部２５０に制御信号を送信するように命令する（ステップ４０６）。
【００３５】
液晶ディスプレイ２７０は、左目用画像フレームデータに基づいた左目用画像と右目用画像フレームデータに基づいた右目用画像とを時分割で表示する（ステップ４０７）。
【００３６】
画像を縮小することによって、クロストークの発生を避けることが可能になる理由を説明する前に、フレームレートが６０Ｈｚの動画像データを１２０Ｈｚで駆動される液晶ディスプレイ２７０で３次元画像を表示した場合に、クロストークが発生する理由を説明する。
【００３７】
液晶ディスプレイは、水平ライン単位で画像を表示する線順次方式（ホールド表示方式）を採用している。線順次方式では、画面の上から順番に書き換えて行き、次の書き換え時まで同じ表示状態を維持する。
【００３８】
線順次方式で液晶ディスプレイ２７０の画面の上部から下部まで順番に書き替えていく様子とバックライト２７０Ｂのオン／オフのタイミングとを図７に示す。
【００３９】
人間の目には、バックライト２７０Ｂがオンの時に映像を見ることが可能になる。バックライト２７０Ｂがオンの時、画面の上部５０１Ａ〜５０１Ｅと下部５０２Ａ〜５０２Ｄにおいて、左目用画像と右目用画像とが混じって表示される。このため、１２０Ｈｚで駆動される表示装置では、クロストークが発生する。
【００４０】
本装置１０では、図８に示すように、左目用画像と右目用画像とが混じる領域５１１、５１２を除いた領域５１３に立体画像を表示するための左目用画像と右目画像とが表示されるように、左目用画像データ３０２Ｌと右目用画像データ３０２Ｒの画素数を縮小して、左目用縮小画像データ３０３Ｌおよび右目用縮小画像データ３０３Ｒを生成する。左目用画像と右目用画像とが混じらないラインに立体映像を表示するための画像を表示することでクロストークの発生を抑制することが可能になる。
【００４１】
次に、左目用画像と右目用画像とが混じらないラインについて図９を参照して説明する。四角形ＡＢＣＤにおいて立体画像を表示するための左目用画像または右目用画像が表示される。四角形ＥＡＤＦ、四角形ＢＧＨＣにおいて枠が表示される。
【００４２】
図９において、
Ｖpは液晶ディスプレイ２７０の垂直ラインのピクセル数、
ＶBLは立体画像を表示するための左目用画像または右目用画像の垂直方向のピクセル数、
ｔFはパネルのリフレッシュレートがＦの時のフレーム期間（秒）、
ｔBLはバックライト２７０Ｂの点灯期間（秒）、
ｔdは、立体画像を表示するための左目用画像または右目用画像を表示する一番下の水平ライン９０１に画像を表示するためのデータが入力されてからバックライト２７０Ｂが点灯されるまでの時間、
ｔa＝ｔF−（ｔd＋ｔBL）
である。
【００４３】
三角形ＥＧＩおよび三角形ＤＣＪは直角三角形であり、三角形ＥＧＩの斜辺と三角形ＤＣＪの斜辺とが平行なので、三角形ＥＧＩと三角形ＤＣＪとは相似である。従って、以下の式が計算される。
【数１】
2015039076.tif 000003
【００４４】
従って、縮小後の左目用縮小画像データ３０３Ｌ（右目用縮小画像データ３０３Ｒ）の垂直方向のピクセル数がＶBL以下の正整数となるように、左目用画像データ３０２Ｌ（右目用画像データ３０２Ｒ）を縮小すればよい。
【００４５】
例えば、Ｖpが１０８０（ピクセル）、フレーム期間ｔ120が８．３ｍｓｅｃ、パネルのバックライトの点灯期間ｔBLが２ｍｓｅｃ、遅延時間ｔdが２ｍｓｅｃの場合、ＶBLは５５９．５になる。従って、縮小後の左目用縮小画像データ３０３Ｌ（右目用縮小画像データ３０３Ｒ）の垂直方向のピクセル数が５５９以下の正整数となるように、左目用画像データ３０２Ｌ（右目用画像データ３０２Ｒ）を縮小すれば、クロストークの発生を抑制することが可能になる。なお、より大きな映像を液晶ディスプレイ２７０に標示するために、縮小後の左目用縮小画像データ３０３Ｌ（右目用縮小画像データ３０３Ｒ）の垂直方向のピクセル数が５５９．５以下の正整数で最大の５５９となるように、左目用画像データ３０２Ｌ（右目用画像データ３０２Ｒ）を縮小することが好ましい。
【００４６】
なお、左目用画像データ３０１Ｌ（右目用画像データ３０１Ｒ）のアスペクト比と左目用縮小画像データ３０３Ｌ（右目用縮小画像データ３０３Ｒ）のアスペクト比とを揃えることが好ましい。アスペクト比を１６：９に揃える場合、左目用縮小画像データ３０３Ｌ（右目用縮小画像データ３０３Ｒ）の垂直方向のピクセル数がＶBL1であれば、左目用縮小画像データ３０３Ｌ（右目用縮小画像データ３０３Ｒ）の水平方向のピクセル数はＨa1は、１６×ＶBL1／９である。
【００４７】
なお、制御ブロック２３５は、リモートコントローラ２８０の操作によるユーザの指示に応じて、左目用画像データ３０２Ｌと右目用画像データ３０２Ｒとをビデオ出力回路２３９に出力するように３Ｄ処理モジュール８０に指示し、ビデオ出力回路２３９が左目用画像データ３０２Ｌと右目用画像データ３０２Ｒとを時分割で液晶ディスプレイ２７０に出力するようにしても良い。ユーザが、クロストークが発生しても、大画面で映像を見たい場合に有効である。
【００４８】
また、制御ブロック２３５は、リモートコントローラ２８０の操作によるユーザの指示に応じて、液晶ディスプレイ２７０にバックライト２７０Ｂの点灯時間の変更を指示し、指示した点灯時間に基づいて新たな垂直ピクセル数ＶBLを算出し、算出された垂直ピクセル数ＶBLに基づいた左目用縮小画像データ３０３Ｌ（右目用縮小画像データ３０３Ｒ）の垂直方向のピクセル数を縮小モジュール８２Ｌ、８２Ｒに指示する。縮小モジュール８２Ｌ、８２Ｒは、制御ブロック２３５から指示されたピクセル数となるように第２の左目用画像データ３０２Ｌの画素数、第２の右目用画像データ３０２Ｒの画素数を縮小する。映像が暗くなってもより大きな映像を見たい場合に有効である。
【００４９】
なお、上記実施形態では、サイド・バイ・サイド方式で左目用画像データと右目用画像データとを動画像データに重畳させていたが、トップ・アンド・ボトム方式やシーケンシャルフレーム方式で左目用画像データと右目用画像データとを動画像データに重畳させても良い。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１０…テレビジョン装置，２１…受信機，８０…３Ｄ処理モジュール，８１…分割モジュール，８２Ｌ…左目用画像データ縮小モジュール，８２Ｒ…右目用画像データ縮小モジュール，８３Ｌ…枠付加モジュール，８３Ｒ…枠付加モジュール。
【図１】
2015039076.tif 000005
【図２】
2015039076.tif 000006
【図３】
2015039076.tif 000007
【図４】
2015039076.tif 000008
【図５】
2015039076.tif 000009
【図６】
2015039076.tif 000010
【図７】
2015039076.tif 000011
【図８】
2015039076.tif 000012
【図９】
2015039076.tif 000013